(57)【要約】【課題】  通信データ量の大幅な増加や制御機への大きな負荷を伴うことなく、ナースコール子機からの呼び出しに合わせて看護用カメラの撮像映像或いは画像を複数の機器に対して送信する。【解決手段】  制御機５はナースコール子機１から呼出信号を受信したら、呼出元のナースコール子機１に関連付けられているＩＰカメラから成る看護用カメラ１０を起動し、撮像映像及び画像の送信先としてナースコール親機３及び制御機５を指定して送信させると共に、看護用カメラ１０から送信された画像を呼出元のナースコール子機１に関連付けられている少なくとも１台の携帯端末４に対してＨＴＴＰＳでコンテンツとして送信する。【選択図】  図１
2015126362.tif 000002
【特許請求の範囲】
【請求項１】
患者が看護師を呼び出すためのナースコール子機と、呼出発生を報知する廊下灯と、患者からの呼び出しに応答するためのナースコール親機及び携帯端末と、患者を撮像するために病室に設置された看護用カメラと、それらの機器間の通信を制御する制御機とを有し、前記廊下灯、前記ナースコール親機、前記看護用カメラ、前記制御機の間が通信ネットワークを介して接続されて成るナースコールシステムにおいて、
前記看護用カメラがＩＰカメラであると共に、前記制御機と前記携帯端末とがインターネットプロトコルで通信するものであって、
前記制御機は、前記ナースコール子機から呼出信号を受信したら、前記ナースコール親機と呼出元のナースコール子機に関連付けられている少なくとも１台の前記携帯端末に呼出信号を送信すると共に、呼出元のナースコール子機に関連付けられている前記看護用カメラを起動し、撮像映像及び／又は画像の送信先として前記ナースコール親機及び前記制御機を指定して送信させ、
更に前記制御機は、前記看護用カメラから映像及び／又は画像を受信したら、前記呼出信号送信先の前記携帯端末に対して、前記映像及び／又は画像をデータ伝送プロトコルでコンテンツとして送信することを特徴とするナースコールシステム。
【請求項２】
前記看護用カメラから送信される映像及び／又は画像は、マルチキャストで送信されることを特徴とする請求項１又は２に記載のナースコールシステム。
【請求項３】
前記制御機は、前記ナースコール親機及び前記携帯端末に対して前記呼出信号をそれぞれユニキャストで送信することを特徴とする請求項１又は２記載のナースコールシステム。
【請求項４】
患者が看護師を呼び出すためのナースコール子機と、呼出発生を報知する廊下灯と、患者からの呼び出しに応答するためのナースコール親機及び携帯端末と、患者を撮像するために病室に設置された看護用カメラと、それらの機器間の通信を制御する制御機とを有し、前記廊下灯、前記ナースコール親機、前記看護用カメラ、前記制御機の間が通信ネットワークを介して接続されて成るナースコールシステムにおいて、
前記看護用カメラがＩＰカメラであると共に、前記制御機と前記携帯端末とがインターネットプロトコルで通信するものであって、
前記制御機は、前記ナースコール子機から呼出信号を受信したら、呼出元のナースコール子機に関連付けられている前記看護用カメラを起動すると共に、送信先として前記ナースコール親機及び少なくとも１台の前記携帯端末を指定し、前記看護用カメラの撮像映像及び／又は画像をマルチキャストで送信させることを特徴とするナースコールシステム。
【請求項５】
前記制御機は、前記ナースコール親機から所定の操作により特定の前記ナースコール子機が選局されて患者の呼出操作が成されたら、選局された前記ナースコール子機に対して患者を呼び出すための患者呼出信号の送信を実施すると共に、前記患者呼出信号の送信に合わせて呼出先の前記ナースコール子機に関連付けられている前記看護用カメラを起動し、更に前記看護用カメラの撮像映像及び／又は画像の送信先として前記ナースコール親機及び前記制御機を指定してマルチキャストで送信させることを特徴とする請求項４記載のナースコールシステム。
【請求項６】
前記ナースコール親機或いは前記携帯端末に対して呼出／通話を可能とすると共に、訪問者を撮像するためのＩＰカメラから成る子機カメラを具備したドアホン子機が前記通信ネットワークを介して接続され、
前記制御機は、前記ドアホン子機から呼出信号を受信したら、前記ナースコール親機と少なくとも１台の前記携帯端末に呼出信号を送信すると共に、
呼出元の前記子機カメラを起動して撮像映像及び／又は画像の送信先として前記ナースコール親機及び前記制御機を指定して送信させ、
更に前記制御機は、前記子機カメラから映像及び／又は画像を受信したら、前記呼出信号送信先の前記携帯端末に対して、前記映像及び／又は画像をデータ伝送プロトコルでコンテンツとして送信することを特徴とする請求項１乃至５の何れかに記載のナースコールシステム。
【発明の詳細な説明】
【技術分野】
【０００１】
本発明は、病院や介護施設において患者が看護師等を呼び出すためのナースコールシステムに関し、特に患者を撮像する看護用カメラを備えたナースコールシステムに関する。
【背景技術】
【０００２】
病室に看護用カメラを設置して、患者がナースコール子機により呼び出しを行ったら、その患者を撮像する看護用カメラが起動して撮像映像が呼出信号と共にナースコール親機に送信され、ナースコール親機において患者映像を見ながら応答できるナースコールシステムがある（例えば、特許文献１参照）。
【先行技術文献】
【特許文献】
【０００３】
【特許文献１】特開２００５−１５１５４０号公報
【発明の概要】
【発明が解決しようとする課題】
【０００４】
上記従来のナースコールシステムでは、呼出操作した患者の映像或いは画像が呼出時にナースコール親機に表示されるため、看護師は応答する際に患者の元まで赴くこと無く患者の状態を確認でき、看護業務に活用できた。
しかしながら、呼出信号が送信されるナースコール親機が複数のシステムが存在するし、加えて看護師が携行している携帯端末も呼出信号が送信される場合、この携帯端末に対しても呼び出しに合わせてカメラの撮像映像或いは画像を単純に送信させようすると、通信データ量の大幅な増加を伴うため、伝送路の負担や制御機負担の増大等の理由で難しかった。
【０００５】
そこで、本発明はこのような問題点に鑑み、通信データ量の大幅な増加や制御機への大きな負荷を伴うことなく、ナースコール子機からの呼び出しに合わせて看護用カメラの撮像映像或いは画像を複数の機器に対して送信することを可能としたナースコールシステムを提供することを目的としている。
【課題を解決するための手段】
【０００６】
上記課題を解決する為に、請求項１の発明は、患者が看護師を呼び出すためのナースコール子機と、呼出発生を報知する廊下灯と、患者からの呼び出しに応答するためのナースコール親機及び携帯端末と、患者を撮像するために病室に設置された看護用カメラと、それらの機器間の通信を制御する制御機とを有し、廊下灯、ナースコール親機、看護用カメラ、制御機の間が通信ネットワークを介して接続されて成るナースコールシステムにおいて、看護用カメラがＩＰカメラであると共に、制御機と携帯端末とがインターネットプロトコルで通信するものであって、制御機は、ナースコール子機から呼出信号を受信したら、ナースコール親機と呼出元のナースコール子機に関連付けられている少なくとも１台の携帯端末に呼出信号を送信すると共に、呼出元のナースコール子機に関連付けられている看護用カメラを起動し、撮像映像及び／又は画像の送信先としてナースコール親機及び制御機を指定して送信させ、更に制御機は、看護用カメラから映像及び／又は画像を受信したら、呼出信号送信先の携帯端末に対して、映像及び／又は画像をデータ伝送プロトコルでコンテンツとして送信することを特徴とする。
この構成によれば、制御機が送信に関わる映像情報は、携帯端末に対して送信する映像及び／又は画像のみでありナースコール親機に対する送信にか関わらないため、送信先のナースコール親機が複数であっても制御機に対する通信負荷は大きく増加することはない。また、制御機から携帯端末へはデータ伝送プロトコルでコンテンツとして患者映像又は画像が送信されるため、制御機への負担を軽減できるし、インターネットプロトコルで動作する携帯端末の機能を使用することで制御しやすいシステムを構築できる。
一方、ナースコール親機に対しては映像を表示させることが可能であり、患者の状態を正確に認識できる。
【０００７】
請求項２の発明は、請求項１に記載の構成において、看護用カメラから送信される映像及び／又は画像は、マルチキャストで送信されることを特徴とする。
この構成によれば、看護用カメラからの動画及び／又は静止画の送信はマルチキャストで実施されるため、送信先が複数であっても送信する信号は共通し、トラフィックの増大を防ぐことができる。
【０００８】
請求項３の発明は、請求項１又は２に記載の構成において、制御機は、ナースコール親機及び携帯端末に対して呼出信号をそれぞれユニキャストで送信することを特徴とする。
この構成によれば、呼出信号送信先が複数、特に呼出先の携帯端末が複数であっても呼出信号はユニキャストで送信されるため、それぞれの呼出先に対して順次送信されてＡＣＫによる受信確認を行うため、異常発生信号の失報を防ぐことができる。
【０００９】
請求項４の発明は、患者が看護師を呼び出すためのナースコール子機と、呼出発生を報知する廊下灯と、患者からの呼び出しに応答するためのナースコール親機及び携帯端末と、患者を撮像するために病室に設置された看護用カメラと、それらの機器間の通信を制御する制御機とを有し、廊下灯、ナースコール親機、看護用カメラ、制御機の間が通信ネットワークを介して接続されて成るナースコールシステムにおいて、看護用カメラがＩＰカメラであると共に、制御機と携帯端末とがインターネットプロトコルで通信するものであって、制御機は、ナースコール子機から呼出信号を受信したら、呼出元のナースコール子機に関連付けられている看護用カメラを起動すると共に、送信先としてナースコール親機及び少なくとも１台の携帯端末を指定し、看護用カメラの撮像映像及び／又は画像をマルチキャストで送信させることを特徴とする。
この構成によれば、制御機はカメラが撮像した映像及び／又は画像の送信先を指定するだけであるため、制御機に対する通信負荷が発生しない。よって、映像及び／又は画像の送信先が複数であってもスムーズに送信することが可能となる。また、映像及び／又は画像の送信はマルチキャストで実施されるため、送信先が多数であってもトラフィックが増大することが無く、伝送路の通信負荷を考慮する必要がない。
【００１０】
請求項５の発明は、請求項４に記載の構成において、制御機は、ナースコール親機から所定の操作により特定のナースコール子機が選局されて患者の呼出操作が成されたら、選局されたナースコール子機に対して患者を呼び出すための患者呼出信号の送信を実施すると共に、患者呼出信号の送信に合わせて呼出先のナースコール子機に関連付けられている看護用カメラを起動すると共に、送信先としてナースコール親機及び制御機を指定し、看護用カメラの撮像映像及び／又は画像をマルチキャストで送信させることを特徴とする。
この構成によれば、ナースコール親機から患者を呼び出した場合も、患者の映像及び／又は画像をナースコール親機において表示させることができるし、送信データを増やすことなく制御機において同時に映像及び／又は画像を保存することも可能である。
【００１１】
請求項６の発明は、請求項１乃至５の何れかに記載の構成において、ナースコール親機或いは携帯端末に対して呼出／通話を可能とすると共に、訪問者を撮像するためのＩＰカメラから成る子機カメラを具備したドアホン子機が通信ネットワークを介して接続され、制御機は、ドアホン子機から呼出信号を受信したら、ナースコール親機と少なくとも１台の携帯端末に呼出信号を送信すると共に、呼出元の子機カメラを起動して撮像映像及び／又は画像の送信先としてナースコール親機及び制御機を指定して送信させ、更に制御機は、子機カメラから映像及び／又は画像を受信したら、呼出信号送信先の携帯端末に対して、映像及び／又は画像をデータ伝送プロトコルでコンテンツとして送信することを特徴とする。
この構成によれば、ドアホン子機が呼出操作されて起動した子機カメラの映像或いは画像は、１台或いは複数台の機器に送信されるが、制御機が送信に関わる映像等は携帯端末に対して送信する映像及び又は画像のみであり、ナースコール親機に対する送信にか関わらないため、送信先のナースコール親機が複数であっても制御機に対する通信負荷は増加しない。また、ナースコール親機に対しては映像を表示させることができ、訪問者の状態を正確に認識できる。
【発明の効果】
【００１２】
本発明によれば、制御機が送信に関わる映像情報は、携帯端末に対して送信する映像及び／又は画像のみでありナースコール親機に対する送信にか関わらないため、送信先のナースコール親機が複数であっても制御機に対する通信負荷は大きく増加することはない。また、制御機から携帯端末へはデータ伝送プロトコルでコンテンツとして患者映像又は画像が送信されるため、制御機への負担を軽減できるし、インターネットプロトコルで動作する携帯端末の機能を使用することで制御しやすいシステムを構築できる。
一方、ナースコール親機に対しては映像を表示させることが可能であり、患者の状態を正確に認識できる。
【図面の簡単な説明】
【００１３】
【図１】本発明に係るナースコールシステムの一例を示す構成図である。
【図２】制御機の要部回路ブロック図である。
【発明を実施するための形態】
【００１４】
以下、本発明を具体化した実施の形態を、図面を参照して詳細に説明する。図１は本発明に係るナースコールシステムの一例を示す構成図であり、１は患者が看護師を呼び出すためにベッド毎に設置されたナースコール子機（以下、単に「子機」と称する。）、２は病室の入口に設置されて呼び出しの発生を報知する廊下灯、３はナースステーションに設置されて患者からの呼び出しに応答するためのナースコール親機（以下、単に「親機」と称する。）、４は看護師が携行する携帯端末、５は機器間の通信を制御する制御機、６は患者情報を蓄積するナースコールサーバ、８は携帯端末４の通話接続をおこなうための交換機、９は携帯端末４と制御機５との通信を中継するアクセスポイント、１０は患者を撮像するために病室内に設置された看護用カメラ、１１は病棟の入口等に設置されたドアホン子機である。
【００１５】
廊下灯２、親機３、制御機５、ナースコールサーバ６、交換機８、アクセスポイント９、看護用カメラ１０、ドアホン子機１１はＬＡＮ１３を介して接続され、これらの機器はインターネットプロトコルにより通信が実施される。また、子機１は伝送線Ｌ１を介して廊下灯２に接続されている。
【００１６】
子機１は、ナースコール呼出を行う呼出握りボタン１ａと、呼出握りボタン１ａが接続されて看護師と通話するためのマイク及びスピーカを備えたプレート子機１ｂとで構成され、病室毎に廊下灯２に接続されている。
【００１７】
廊下灯２は、呼び出しが発生したら点滅或いは点灯して呼出発生を報知する通知灯２ａ、設置した病室の患者情報を表示する患者情報表示部２ｂを有し、子機１から送出された呼出信号をＬＡＮ１３を介して制御機５に送信する。
【００１８】
親機３は、呼び出しに応答するためのハンドセット３１、患者情報や映像を表示する表示部３２を備えた卓上親機３ａと、パーソナルコンピュータから成り患者情報の入力や表示を行うＰＣ親機３ｂとで構成されている。
【００１９】
携帯端末４は、アクセスポイント９を介してインターネットプロトコルにより制御機５と通信を実施するＩＰ通信端末であり、スマートフォンと称される端末が使用され、各種情報を表示するディスプレイ４ａを備えている。
【００２０】
看護用カメラ１０は、撮像映像と撮像画像の双方を同時に配信するデュアルストーム配信を実施するＩＰカメラである。
【００２１】
ドアホン子機１１は、呼出／通話機能に加えて訪問者を撮像するための子機カメラ１１ａを具備し、インターネットプロトコルに基づいて呼出信号が制御機５を経由して親機３及び携帯端末４に送信されるよう設定されている。また、子機カメラ１１ａにはＩＰカメラが使用され、親機３或いは携帯端末４の選局操作により呼出信号を受けると撮像を開始し、指定された機器に対して撮像映像を送信する。
【００２２】
図２は制御機５の要部を回路ブロック図で示している。図２に示すように、制御機５は子機１毎の呼出先機器、及びドアホン子機１１の呼出先機器等を記憶した呼出先記憶部５１、看護用カメラ１０と子機１を関連付けたカメラ・子機テーブル記憶部５２、受信した画像を保存するコンテンツ保存部５３、通信を制御すると共に制御機５の各回路を制御する制御機ＣＰＵ５４、ＬＡＮ１３に接続する制御機ＩＦ５５等を有している。尚、呼出先記憶部５１には、子機１と看護師の関連付け、看護師と携帯端末４の関連付け、更にドアホン子機１１と携帯端末４の関連付け等が登録されて記憶されている。
【００２３】
このように構成されたナースコールシステムは以下のように動作する。ナースコールシステムは、患者により子機１が操作されてナースコール呼出が行われて看護師と通話する基本動作に加えて、看護師が患者を呼び出して通話する機能も備えており、最初に子機１が操作されるナースコール呼出を説明する。
ナースコール呼出が発生すると、呼出信号が子機１から廊下灯２を介して制御機５に送信される。呼出信号を受信した制御機５は、親機３に呼出信号を送信するのに加えて制御機ＣＰＵ５４が呼出信号に含まれている呼出元情報を読み取って、呼出先記憶部５１を参照して呼出元の子機１に関連付けられている１台或いは複数台の携帯端末４を特定し、その携帯端末４に対して呼出信号を送信する。このとき、制御機５から親機３及び携帯端末４へ送信される呼出信号はユニキャストで実施される。
また制御機ＣＰＵ５４は、呼出元のベッド（子機１）に関連付けられている看護用カメラ１０をカメラ・子機テーブル記憶部５２から読み取って、特定した看護用カメラ１０に対して撮像開始信号、映像及び画像の送信先情報を送信する。
【００２４】
撮像開始信号及び映像の送信先情報を受信した看護用カメラ１０は、撮像を開始して映像及び画像を指定された送信先に送信する。ここでは、親機３及び制御機５が送信先に指定されて映像及び画像がマルチキャストで送信される。例えば、親機３に対してはＨ．２６４マルチキャストで送信（Ｓ１）され、制御機５に対してはＭＪＰＥＧマルチキャストで送信（Ｓ２）される。
看護用カメラ１０から画像を受信した制御機５では、画像のみ受信して静止画としてコンテンツ保存部５３に保存し、携帯端末４から取得要求を受けたら送信する。
【００２５】
具体的に、制御機ＣＰＵ５４は親機３及び携帯端末４に呼出信号を送信するが、携帯端末４に対してはコンテンツ保存部５３のＵＲＬ情報を添付してユニキャストで送信する。この呼出信号を受信した携帯端末４は、呼出信号に添付されているＵＲＬ情報に基づき制御機５のコンテンツ保存部５３にアクセスし、静止画が貼り付けられたコンテンツをＨＴＴＰＳにより受信（Ｓ３）してディスプレイ４ａに入手した静止画を表示する。この結果、呼出音の鳴動と共に患者画像が携帯端末４に表示される。
尚、ＨＴＴＰＳは、データ伝送プロトコルであり「Hypertext Transfer Protocol Secure」の略である。
【００２６】
一方、呼出信号に加えて映像及び画像の送信を受けた親機３では、呼出音が鳴動し、受信した映像或いは画像が表示部３２に表示される。
【００２７】
こうして呼出音が鳴動して映像或いは画像が表示された親機３或いは携帯端末４を応答操作すれば、制御機ＣＰＵ５４の制御により応答操作した機器と子機１との間で通話路が形成され、看護師は患者映像或いは画像を見ながら患者と通話することができる。
【００２８】
このように、制御機５が送信に関わる映像情報は、携帯端末４に対して送信する画像のみであり親機３に対する送信にか関わらないため、送信先の親機３が複数であっても制御機５に対する通信負荷は大きく増加することはない。また、制御機５から携帯端末４へはデータ伝送プロトコルでコンテンツとして患者映像又は画像が送信されるため、制御機５への負担を軽減できるし、インターネットプロトコルで動作する携帯端末４の機能を使用することで制御しやすいシステムを構築できる。
一方、親機３に対しては映像を表示させることが可能であり、患者の状態を正確に認識できる。
また、患者画像はＨＴＴＰＳで暗号化されて携帯端末４に送信されるため、プライバシー保護にも有効である。
更に、看護用カメラ１０からの動画及び／又は静止画の送信はマルチキャストで実施されるため、送信先が複数であっても送信する信号は共通し、トラフィックの増大を防ぐことができる。また、呼出信号送信先が複数、特に呼出先の携帯端末４が複数であっても呼出信号はユニキャストで順次送信されてＡＣＫによる受信確認を行うため、異常発生信号の失報を防ぐことができる。
【００２９】
尚、上記実施形態では、看護用カメラ１０をデュアルストーム配信するＩＰカメラとしたが、映像のみ配信する構成であっても良いし、画像のみ配信する構成としても良い。映像のみ送信する構成の場合は、制御機５において映像データを基に携帯端末４に送信する静止画を生成すれば良い。また、携帯端末４には、予め或いは起動時に制御機５から画像を入手するためのアプリケーションソフトウェアがインストールされる。
【００３０】
次に、看護師が患者を呼び出す場合を説明する。親機３において、患者或いはベッド番号を選択する所定の選局操作が成されると、制御機５を介して選択された子機１へ患者呼出信号が送信される。このとき制御機ＣＰＵ５４が、呼出信号から呼出先の子機１を把握して、その子機１に関連付けられている看護用カメラ１０をカメラ・子機テーブル記憶部５２から特定し、特定した看護用カメラ１０に対して撮像開始信号、及び映像及び画像の送信先情報を送信する。
撮像開始信号及び映像の送信先情報を受信した看護用カメラ１０は、撮像を開始して映像及び画像を指定された送信先に送信する。ここでは、送信先に親機３に加えて制御機５が指定されており、マルチキャストで双方に送信される。
【００３１】
親機３から患者呼出信号が送信された場合、制御機ＣＰＵ５４が呼出先の子機１との間の通話路を形成し、通話路が可能となる。そして、患者映像又は画像が親機３に表示されると共に制御機５において映像（又は画像）の録画が実施される。
【００３２】
このように、親機３から患者を呼び出した場合においても、患者の映像又は画像を親機３において表示させることができるし、送信データを増やすことなく制御機５において同時に映像及び画像を保存することも可能である。
そして、看護用カメラ１０からの動画及び静止画の送信はマルチキャストで実施されるため、送信先が複数であっても１種類の信号で良くトラフィックの増大を防止することができる。
【００３３】
一方、携帯端末４から患者の呼び出しが行われた場合は以下の様である。患者を呼び出す場合の操作は親機３と同様であり、患者或いはベッド番号を選択する所定の選局操作により選択された子機１へ制御機５を介して患者呼出信号が送信される。このとき制御機ＣＰＵ５４が、呼出信号から呼出先の子機１を把握し、子機１に関連付けられている看護用カメラ１０をカメラ・子機テーブル記憶部５２から特定し、特定した看護用カメラ１０に対して撮像開始信号、及び映像及び画像の送信先情報を送信する。
【００３４】
撮像開始信号及び映像の送信先情報を受信した看護用カメラ１０は、撮像を開始して映像及び画像を指定された送信先に送信する。ここでは、送信先に制御機５が指定されており、上述したように制御機ＣＰＵ５４は、受信した画像を静止画としてコンテンツ保存部５３に保存する。その後、呼出元の携帯端末４からの要求を受けて静止画が貼り付けられたコンテンツをＨＴＴＰＳによりユニキャストで送信する。また、受信した映像或いは画像の録画を実施する。
【００３５】
こうして、携帯端末４から患者を呼び出した場合も、呼出信号送信先の子機１と携帯端末４との間で通話路が形成されると患者画像（静止画）が携帯端末４に表示され、携帯端末４からでも患者を呼び出した際に患者の状態を画像で確認できる。
【００３６】
以上は、携帯端末４に静止画が制御機５から送信される場合を説明したが、制御機５を経由せず看護用カメラ１０から直接送信しても良く、次のように実施できる。但し、子機１が操作されて呼出信号が制御機５に送信され、制御機５から親機３及び携帯端末４に送信される動作、また呼出元のベッド（子機１）に関連付けられている看護用カメラ１０を特定して撮像開始信号、及び映像及び画像の送信先情報を送信する動作は上記形態と同様であるため説明を省略する。
【００３７】
制御機５から撮像開始信号及び送信先情報を受信した看護用カメラ１０は、撮像を開始すると共に撮像した映像及び画像を指定された機器に送信する。この場合、制御機ＣＰＵ５４により親機３、制御機５に加えて、子機１に関連付けられている（患者を担当する看護師が携行する）１台又は複数の携帯端末４が送信先に指定され、それらの機器にマルチキャストで送信される。尚、看護用カメラ１０から携帯端末４に対する映像及び画像の送受は、例えばピアツーピアで実施される。
こうして、呼出信号を受信した親機３及び携帯端末４は呼出音を鳴動すると共に、映像又は画像が表示され、何れかの機器で応答操作が成されたら、通話路が形成される。
【００３８】
このように、看護用カメラ１０が配信する映像や画像は、制御機５が中継せずに直接機器が受信するため、制御機５は看護用カメラ１０が撮像した映像や画像の送信先を指定するだけであり、制御機５に対する通信負荷が発生しない。よって、映像や画像の送信先が複数であってもスムーズに送信することが可能となる。また、映像や画像の送信はマルチキャストで実施されるため、送信先が多数であってもトラフィックが増大することが無く、伝送路の通信負荷を考慮する必要がない。
【００３９】
次に、ドアホン子機１１が操作された場合を説明する。ドアホン子機１１が操作されて呼び出しが発生すると、呼出信号が制御機５に送信され、上記子機１による呼び出しと同様に呼出／応答は行われる。
具体的に、呼出信号を受信した制御機５は、制御機ＣＰＵ５４が親機３に加えてドアホン子機１１に関連付けられている１台或いは複数台の携帯端末４を呼出先記憶部５１から特定し、特定した携帯端末４に対して呼出信号を送信する。このとき、制御機５から親機３及び携帯端末４へ送信される呼出信号はユニキャストで実施される。
更に制御機ＣＰＵ５４は、ドアホン子機１１が具備している子機カメラ１１ａに対して撮像開始信号、映像及び画像の送信先情報を送信する。
【００４０】
撮像開始信号及び映像の送信先情報を受信した子機カメラ１１ａは、撮像を開始して映像及び画像を指定された送信先に送信する。ここでは、親機３及び制御機５が送信先に指定されて映像がマルチキャストで送信される。
画像を受信した制御機５では、制御機ＣＰＵ５４が静止画としてコンテンツ保存部５３に保存し、携帯端末４から取得要求を受けたら送信する。
【００４１】
具体的に、制御機ＣＰＵ５４は親機３及び携帯端末５に呼出信号を送信するが、携帯端末４に対してはコンテンツ保存部のＵＲＬ情報を添付してユニキャストで送信する。この呼出信号を受信した携帯端末４は、呼出信号に添付されているＵＲＬ情報に基づき制御機５のコンテンツ保存部５３にアクセスし、静止画が貼り付けられたコンテンツをＨＴＴＰＳにより受信してディスプレイ４ａに入手した静止画を表示する。この結果、呼出音の鳴動と共に訪問者画像が携帯端末４に表示される。
【００４２】
一方、呼出信号に加えて映像を受信した親機３では、呼出音が鳴動すると共に受信した映像が表示部３２に表示される。
【００４３】
こうして呼出音が鳴動して映像が表示された親機３或いは画像が表示された携帯端末４の何れかを応答操作すれば、制御機５の制御により応答操作した機器とドアホン子機１１との間で通話路が形成され、看護師は訪問者映像或いは画像を見ながら通話することができる。
【００４４】
このように、ドアホン子機１１が呼出操作されて起動した子機カメラ１１ａの映像及び画像は、１台或いは複数台の機器に送信されるが、制御機５が送信に関わる映像等は携帯端末４に対して送信する静止画（画像）のみであり、親機３に対する送信にか関わらないため、送信先の親機３が複数であっても制御機５に対する通信負荷は増加しない。また、親機３に対しては映像を表示させることができ、訪問者の状態を正確に認識できる。
【００４５】
尚、ドアホン子機１１に対して親機３或いは携帯端末４からの呼び出しも、上述した親機３或いは携帯端末４による子機１への呼び出しと同様の制御で容易に実施でき、親機３或いは携帯端末４の所定の選局操作により、制御機ＣＰＵ５４が通話路を形成すると共に、子機カメラ１１ａが起動して映像或いは画像を呼出元の機器に送信して映像或いは画像を表示させることができる。
また、上記実施形態では、制御機５から携帯端末４に送信されるのは静止画（画像）としているが、看護用カメラ１０から映像を受信する場合は映像を携帯端末４に送信しても良い。この場合、例えばデータ量を削減した映像とすれば制御機５に対する負担も抑制できる。
更に、ＬＡＮ１３を介して接続した構成としたが、インターネットプロトコルを用いることでＷＡＮ等の汎用通信ネットワークを使用しても良い。
【符号の説明】
【００４６】
１・・ナースコール子機、２・・廊下灯、３・・ナースコール親機、４・・携帯端末、４ａ・・ディスプレイ、５・・制御機、１０・・看護用カメラ、１１・・ドアホン子機、１１ａ・・子機カメラ、１３・・ＬＡＮ（通信ネットワーク）、３２・・表示部、５１・・呼出先記憶部、５２・・カメラ・子機テーブル記憶部、５３・・コンテンツ保存部、５４・・制御機ＣＰＵ。
【図１】
2015126362.tif 000003
【図２】
2015126362.tif 000004